(57)【要約】【課題】  設置面積と使用空間とを最小化可能なスキャナ機能を有するプリンティング機器を提供する。【解決手段】  用紙に画像情報を印刷する印刷ユニット１００と，印刷ユニット１００の上部に位置し，印刷ユニットから排出される用紙が積載される積載部４００と，積載部４００の上側に位置し，第１位置から積載部４００の積載高さを拡張する第２位置に移動できるスキャンユニット２００とを含むスキャナ機能を有するプリンティング機器が提供される。【選択図】    図１
2005182032.tif 000002
【特許請求の範囲】
【請求項１】
用紙に画像を印刷する印刷ユニットと，
前記印刷ユニットの上部に位置し，前記印刷ユニットから排出される用紙が積載される積載部と，
前記積載部の上側に位置し，第１位置から前記積載部の積載高さを拡張する第２位置に移動可能なスキャンユニットと，を備えることを特徴とする，プリンティング機器。
【請求項２】
前記スキャンユニットが前記第１位置に位置している場合，前記積載部の積載高さは３０ｍｍ以内であることを特徴とする，請求項１に記載のプリンティング機器。
【請求項３】
前記印刷ユニットに供給される用紙が積載された給紙ユニットをさらに備え，
前記スキャンユニットが前記第２位置に位置している場合，前記積載部の積載高さは前記給紙ユニットの最大積載容量以上であることを特徴とする，請求項１に記載のプリンティング機器。
【請求項４】
前記印刷ユニットは，長手方向の第１端部から第２端部方向に用紙を排出し，前記積載部は前記第１端部から前記第２端部方向に上向き傾斜したことを特徴とする，スキャナ機能を有する請求項１に記載のプリンティング機器。
【請求項５】
前記スキャンユニットを前記第２位置にロックさせるロック手段がさらに備わったことを特徴とする，請求項１に記載のプリンティング機器。
【請求項６】
前記印刷ユニットは，長手方向の第１端部から第２端部方向に用紙を排出し，前記スキャンユニットは前記印刷ユニットに対して回動できるように設置され，その回動中心が前記第１端部方向に位置することを特徴とする，スキャナ機能を有する請求項５に記載のプリンティング機器。
【請求項７】
前記ロック手段は，
前記スキャンユニットが前記第１位置にある場合，前記スキャンユニットを支持する第３位置と，前記スキャンユニットが前記第２位置にある場合，前記スキャンユニットを支持する第４位置とで回動される支持部材を含むことを特徴とする，請求項６に記載のプリンティング機器。
【請求項８】
前記ロック手段は，
前記支持部材が前記第４位置で回動される方向に付勢力を付与する弾性部材をさらに備えることを特徴とする，請求項７に記載のプリンティング機器。
【請求項９】
前記支持部材は，前記積載部の両端部のうち少なくとも１ヵ所に設置されることを特徴とする，請求項７に記載のプリンティング機器。
【請求項１０】
前記スキャンユニットは複数の回動位置を有し，前記ロック手段は前記複数の回動位置で前記スキャンユニットをロックすることを特徴とする請求項６に記載のプリンティング機器。
【請求項１１】
前記ロック手段は，
前記スキャンユニットの回動中心と同心をなす円弧状に配列された複数の係止部を有する第１部材と，
前記係止部に弾力的に噛み合う第２部材とを含み，
前記第１部材が前記印刷ユニットと前記スキャンユニットのうちいずれか一方に結合され，前記第２部材が前記印刷ユニットと前記スキャンユニットのうちいずれか他の一方に結合され，前記スキャンユニットが回動されるにつれて前記第２部材が前記係止部に弾力的に噛み合うことを特徴とする，請求項１０に記載のプリンティング機器。
【請求項１２】
前記ロック手段は，
前記スキャンユニットに結合され，上下方向に配列された複数の係止部を有する第１部材と，
前記係止部に弾力的に噛み合えるように前記印刷ユニットに設置される第２部材とを含むことを特徴とする，請求項１０に記載のプリンティング機器。
【請求項１３】
前記印刷ユニットは，長手方向の第１端部から第２端部方向に用紙を排出し，前記スキャンユニットは，第１端部方向に設けられる昇降装置に支持されて上下方向に昇降できるように設置されることを特徴とする，請求項５に記載のプリンティング機器。
【請求項１４】
前記ロック手段は，
前記スキャンユニットが前記第１位置にある場合，前記スキャンユニットを支持する第３位置と，前記スキャンユニットが前記第２位置にある場合，前記スキャンユニットを支持する第４位置とで回動される支持部材を含むことを特徴とする請求項１３に記載のプリンティング機器。
【請求項１５】
前記ロック手段は，
前記支持部材が前記第４位置で回動される方向に付勢力を付与する弾性部材をさらに備えることを特徴とする請求項１４に記載のプリンティング機器。
【請求項１６】
前記支持部材は，前記積載部の両側部のうち少なくとも１ヵ所に設置されることを特徴とする請求項１４に記載のプリンティング機器。
【請求項１７】
用紙に画像を印刷する印刷ユニットと，
前記印刷ユニットの上部に位置し，前記印刷ユニットとの間隔を可変するために前記印刷ユニットに接近／離隔されうるように設置されるスキャンユニットと，
前記印刷ユニットと前記スキャンユニットとの間に位置し，前記印刷ユニットから排出される用紙が積載される積載部とを含むプリンティング機器。
【請求項１８】
前記印刷ユニットと前記スキャンユニットとの間隔が最大になる位置で，前記スキャンユニットをロックさせるロック手段をさらに備える請求項１７に記載のプリンティング機器。
【請求項１９】
前記印刷ユニットと前記スキャンユニットとの間隔を調節するために，複数の位置で前記スキャンユニットをロックさせるロック手段をさらに備えることを特徴とする請求項１７に記載のプリンティング機器。
【請求項２０】
用紙に画像を印刷する印刷ユニットと，
前記印刷ユニットの上面に対する相対的な位置を調節できるように前記印刷ユニットの上側に設置されるスキャンユニットとを含み，
前記印刷ユニットから排出される用紙は，前記印刷ユニットの上面に積載されることを特徴とするプリンティング機器。
【発明の詳細な説明】
【技術分野】
【０００１】
本発明はプリンティング機器に係り，特に画像入力機能（スキャナ機能）と画像出力機能（印刷機能）とを備えたプリンティング機器に関する。
【背景技術】
【０００２】
プリンティング機器は，用紙に画像を印刷する印刷機能を基本とし，画像情報を読み取れるスキャナ機能，複写機能，ファクス機能など一つ以上の付加機能を有しうる。この場合に複合機と言われもするが，複合機の定義が明確ではないので，以下ではプリンティング機器とする。印刷ユニットとスキャンユニットとを備えるプリンティング機器は，基本的にプリンタ，スキャナ，複写機の機能を有する。スキャンユニットは，ファックスの入力部，印刷ユニットはファクスの出力端部として機能できるので，ＬＣＵ（Ｌｉｎｅ  Ｃｏｎｔｒｏｌ  Ｕｎｉｔ）だけ備えれば，ファックスとしての機能も有するようになる。
【０００３】
このようなプリンティング機器は，基本的に印刷ユニット及びスキャンユニットを有するので，サイズが大きい。従来，プリンティング機器は，主に事務室内で使われたために，サイズについて関心を傾ける必要が少なかった。
【０００４】
【特許文献１】特開平３−０３８８３３号公報
【特許文献２】特開平５−１９７２２５号公報
【特許文献３】特開２００２−０２３４３７号公報
【特許文献４】米国特許第６，４７０，１６０号明細書
【特許文献５】米国特許第４，５６２，４４４号明細書
【特許文献６】米国特許第３，９５５，８１１号明細書
【特許文献７】米国特許第４，５８９，６４５号明細書
【特許文献８】米国特許第５，１２０，０４４号明細書
【特許文献９】米国特許第５，３２６，０９３号明細書
【特許文献１０】米国特許第６，４７３，５９１号明細書
【発明の開示】
【発明が解決しようとする課題】
【０００５】
しかし，最近になって，プリンティング機器は個人用にも使われる傾向があり，プリンティング機器を小型化する必要性が高まっている。個人用に使われる場合には，設置面積をできる限り狭める必要があり，またプリンティング機器の使用空間もできる限り設置面積以内とする必要がある。
【０００６】
本発明は上述した必要性に鑑みてなされたものであり，その目的とするところは，設置面積と使用空間とを最小化可能な新規かつ改善されたスキャナ機能を有するプリンティング機器を提供することにある。
【課題を解決するための手段】
【０００７】
上記課題を解決するために，本発明のある観点によれば，用紙に画像情報を印刷する印刷ユニットと，印刷ユニットの上部に位置し，印刷ユニットから排出される用紙が積載される積載部と，積載部の上側に位置し，第１位置から積載部の積載高さを拡張する第２位置に移動できるスキャンユニットとを含むことを特徴とする，プリンティング機器が提供される。
【０００８】
また，スキャンユニットが第１位置に位置する時に，積載部の積載高さは３０ｍｍ以内としてもよい。これにより，プリンティング機器を小型化することが可能となる。
【０００９】
また，印刷ユニットに供給される用紙が積載された給紙ユニットをさらに備え，スキャンユニットが第１位置に位置する時に，積載部の積載高さは給紙ユニットの最大積載容量以上としてもよい。また，印刷ユニット，長手方向の第１端部から第２端部方向に用紙を排出し，積載部は第１端部から第２端部方向に上向き傾斜していてもよい。
【００１０】
また，プリンティング機器は，スキャンユニットを第２位置にロックさせるロック手段をさらに備えてもよい。印刷ユニットは，長手方向の第１端部から第２端部方向に用紙を排出し，スキャンユニットは，印刷ユニットに対して回動できるように設置され，その回動中心が第１端部方向に位置する。
【００１１】
上記ロック手段は，スキャンユニットが第１位置にある場合，スキャンユニットを支持する第３位置と，スキャンユニットが第２位置にある場合，スキャンユニットを支持する第４位置とで回動される支持部材を含んでもよい。また，上記ロック手段は，指示部材が第４位置で回動される方向に付勢力を付与する弾性部材をさらに備えてもよい。上記支持部材は，積載部の両側部のうち少なくとも１ヶ所に設置してもよい。
【００１２】
スキャンユニットは，複数の回動位置を有し，ロック手段は，複数の回動位置でスキャンユニットをロックさせるようにしてもよい。
【００１３】
上記ロック手段は，スキャンユニットの回動中心と同心をなす円弧状に配列された複数の係止部を有する第１部材と，係止部に弾力的に噛み合う第２部材とを含み，第１部材が印刷ユニットとスキャンユニットのうちいずれか一方に結合され，第２部材が印刷ユニットとスキャンユニットのうちいずれか他の一方に結合され，スキャンユニットが回動されるにつれて第２部材が係止部に弾力的に噛み合うようにしてもよい。
【００１４】
上記ロック手段は，スキャンユニットに結合され，上下方向に配列された複数の係止部を有する第１部材と，係止部に弾力的に噛み合えるように印刷ユニットに設置される第２部材とを含んでもよい。上記印刷ユニットは，長手方向の第１端部から第２端部方向に用紙を排出し，スキャンユニットは，第１端部方向に設けられる昇降装置に支持されて上下方向に昇降できるように設置するようにしてもよい。
【００１５】
上記ロック手段は，スキャンユニットが第１位置にある場合，スキャンユニットを支持する第３位置と，スキャンユニットが第２位置にある場合，スキャンユニットを支持する第４位置とで回動される支持部材を含んでもよい。
【００１６】
上記ロック手段は，支持部材が第４位置で回動される方向に付勢力を付与する弾性部材をさらに備えてもよい。上記支持部材は，積載部の両側部のうち少なくとも１ヵ所に設置されるようにしてもよい。
【００１７】
上記課題を解決するために，本発明の別の観点によれば，用紙に画像を印刷する印刷ユニットと，印刷ユニットの上部に位置し，印刷ユニットとの間隔を可変するために前記印刷ユニットに接近／離隔されうるように設置されるスキャンユニットと，印刷ユニットとスキャンユニットとの間に位置し，印刷ユニットから排出される用紙が積載される積載部とを含むスキャナ機能を有するプリンティング機器が提供される。
【００１８】
また，上記プリンティング機器は，印刷ユニットとスキャンユニットとの間隔が最大になる位置で，スキャンユニットをロックさせるロック手段をさらに備えてもよい。また，印刷ユニットとスキャンユニットとの間隔を調節するために，複数の位置でスキャンユニットをロックさせるロック手段を備えてもよい。
【００１９】
上記課題を解決するために，本発明の別の観点によれば，用紙に画像を印刷する印刷ユニットと，印刷ユニットの上面に対する相対的な位置を調節できるように印刷ユニットの上側に設置されるスキャンユニットとを含み，印刷ユニットから排出される用紙は印刷ユニットの上面に積載されることを特徴とするプリンティング機器が提供される。
【発明の効果】
【００２０】
本発明によるスキャナ機能を有するプリンティング機器によれば，積載部の積載高さを可変とすることにより，設置面積の小さな小型化されたスキャナ機能を有するプリンティング機器の具現が可能である。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
図１は，本発明の第１実施形態にかかるプリンティング機器の構成図である。図２は，図１の正面図である。図１及び図２に示したように，本実施形態にかかるプリンティング機器は，例えば，用紙に画像を印刷する印刷ユニット１００と，画像情報を読み取るスキャンユニット２００とを備える。
【００２３】
本実施形態の印刷ユニット１００は，電子写真方式によって画像を印刷する。図１に示したように，印刷ユニット１００は，現像器１１０，露光器１２０，転写器１３０，定着器１４０などを含んで構成されている。現像器１１０は，感光ドラム１１２，帯電器１１３，現像ローラ１１４などを含む。帯電器１１３は，感光ドラム１１２の表面を均一な電位に帯電させる。露光器１２０は，画像情報に対応する光を感光ドラム１１２に走査する。それにより，感光ドラム１１２の表面には光の走査された部分とそうではない部分との電位差によって静電潜像が形成される。
【００２４】
現像ローラ１１４は，静電潜像にトナーを供給してトナー画像を形成する。給紙手段３００から供給された用紙は，感光ドラム１１２と転写器１３０との間に進入する。転写器１３０には，転写バイアスが印加される。転写バイアスによってトナー画像は，感光ドラム１１２の表面から離脱されて用紙に付着される。定着器１４０は，トナー画像に熱と圧力とを加えて用紙に定着させる。印刷ユニット１００は，電子写真方式印刷ユニットに限定されず，インクジェット方式，熱転写方式など多様な方式の印刷ユニットが適用されうる。
【００２５】
本実施形態のスキャンユニット２００は，原稿に光を照射して反射される光を検出することにより，画像情報を読み取る読取り手段２１０を備える。読取り手段２１０としては，ＣＩＳ（Ｃｏｎｔａｃｔ  Ｉｍａｇｅ  Ｓｅｎｓｏｒ），ＣＣＤ（Ｃｈａｒｇｅ  Ｃｏｕｐｌｅｄ  Ｄｅｖｉｃｅ）などが使われる。本実施形態のスキャンユニット２００は，読取り手段２１０が移動するフラットベッドタイプ（ｆｌａｔｂｅｄ）のスキャンユニットである。原稿台２２０は，原稿が置かれる透明材質からなる台である。カバー２３０は，原稿台２２０を覆うカバーである。読取り手段２１０は，図２の矢印方向２０１に移動しつつ原稿から画像情報を読み取る。スキャンユニット２００は，フラットベッドタイプに限らず，読取り手段２１０が固定されていて原稿が移動するシートフィード（ｓｈｅｅｔ  ｆｅｅｄ）タイプでもよい。
【００２６】
プリンティング機器の設置面積（ｆｏｏｔ−ｐｒｉｎｔ）を狭めるために，スキャンユニット２００は印刷ユニット１００の上側に位置する。積載部４００には，印刷ユニット１００から排出される用紙が積載される。プリンティング機器の作動に必要な空間がプリンティング機器の設置面積内に限定されるようにするために，積載部４００は，印刷ユニット１００とスキャンユニット２００との間に位置する。印刷ユニット１００に供給される用紙が積載される給紙手段３００は，印刷ユニット１００の下側に設置される。
【００２７】
このような構成により，給紙手段３００から印刷ユニット１００に供給され，その表面に画像が印刷された用紙は，積載部４００に排出される。印刷ユニット１００は，プリンティング機器の作動に必要な空間がプリンティング機器の設置面積内に限定されるようにするために，横方向の第１端部１０１から第２端部１０２方向に用紙を排出する。積載部４００は，図１に点線で図示されたように，第１端部１０１方向から第２端部１０２方向に向けて上向き傾斜して設けられもする。
【００２８】
一般的に，給紙手段３００がおよそ２００〜２５０枚の用紙を積載できるという点を勘案すれば，積載部４００がこれを全て収容するためには，上下方向に少なくとも３０ｍｍほどの空間が必要であり，ユーザが積載部４００から印刷された用紙を除去するための空間を考慮すれば，少なくとも５０ｍｍ以上はなければならない。
【００２９】
積載部４００の積載高さは，スキャンユニット２００と印刷ユニット１００との間の高さ（ｈ１またはｈ２）で示される。この高さ（ｈ１またはｈ２）を高くするならば積載高さは高くなり，プリンティング機器の全体高さＨが高くなってプリンティング機器の小型化には不利である。反対に，高さ（ｈ１またはｈ２）を低くするならば，プリンティング機器の全体高さＨが低くなってプリンティング機器の小型化には有利であるが，用紙を排出する過程で用紙詰まりが発生した時に詰まり用紙を除去するのが非常に困難である。また，ハガキなどの短い用紙は，積載部４００からユーザが取り出すのが容易ではない。
【００３０】
本実施形態のプリンティング機器は，スキャンユニット２００と印刷ユニット１００との間の高さ（図１のｈ１またはｈ２）を３０ｍｍ以内としてもよい。そして，本実施形態のプリンティング機器は，用紙詰まりの除去の容易性，小型用紙を印刷する時のユーザ便宜性などを勘案し，スキャンユニット２００が第１位置から積載部４００の積載高さを拡張する第２位置に移動できることを特徴とする。スキャンユニット２００は，上下方向に昇降でき，第１端部１０１方向を回動中心として回動されることも可能である。
【００３１】
スキャンユニット２００は，その回動中心になるヒンジ５００を中心として図１に図示した第１位置から，図３に図示した第２位置に回動されうるように設置される。この時，ヒンジ５００は，印刷ユニット１００の第１端部１０１方向に位置することが望ましい。スキャンユニット２００が第２位置に位置すれば，スキャンユニット２００が印刷ユニット１００から遠ざかり，積載部４００の積載高さがｈ１’（またはｈ２’）となる。スキャンユニット２００が第２位置に位置する場合，積載部４００の積載高さは，給紙ユニット３００の最大積載容量と同じか，またはそれより高いことが望ましい。
【００３２】
本実施形態のプリンティング機器は，スキャンユニット２００が回動された位置で固定させるロック手段をさらに備える。本実施形態においては，ロック手段は支持部材６００を含む。支持部材６００は，スキャンユニット２００が第１位置にある場合にスキャンユニット２００を支持する第３位置（図２参照）と，スキャンユニット２００が第２位置にある場合にスキャンユニット２００を支持する第４位置（図４参照）との間で回動可能に設置される。支持部材６００は，積載部４００の両側部のうち１ヵ所または両側部いずれにも設置される。ロック手段は，支持部材６００が第４位置で回動される方向に付勢力を付与する弾性部材６１０をさらに備える。このような構成により，スキャンユニット２００を第２位置まで回動した場合，支持部材６００が弾性部材６１０の付勢力によって第４位置まで回動されてスキャンユニット２００を支持する。スキャンユニット２００を第１位置に復帰させる時には，支持部材６００を押して第３位置に復帰させる。それにより，図２に図示されたようにスキャンユニット２００は，第１位置で支持部材６００によって支持される。
【００３３】
スキャンユニット２００は，複数の回動位置を有し，ロック手段も複数の回動位置でそれぞれスキャンユニット２００をロックできるように設けてもよい。図５は，ロック手段の実施形態を簡略的に図示した構成図であり，図６は，図５に図示されたロック手段の作用を示す断面図である。
【００３４】
図５に示したように，スキャンユニット２００には，複数の係止部５１１を有する第１部材５１０が結合される。複数の係止部５１１は，ヒンジ５００と同心をなす円弧状に設けられる。印刷ユニット１００には，係止部５１１に弾力的に噛み合う第２部材５２０が結合される。図６に示したように，第２部材５２０は，弾性部材５３０によって係止部５１１に噛み合う方向に支持されている。弾性部材５３０の付勢力は，スキャンユニット２００の重さによる回転モーメントに耐えられるほどにならなければならない。それにより，ユーザが任意にスキャンユニット２００を回動させない限り，第２部材５２０は，第１部材５１０の係止部５１１に挿入された状態を保持する。ユーザがスキャンユニット２００を回動させれば，その力によって第２部材５２０が第１部材５１０によって図６の矢印（Ａ）方向に押され，再び弾性部材５３０の付勢力によって係止部５１１に噛み合う。このような構成により，スキャンユニット２００は所定の回動位置でロックされる。
図７は，本発明の第２の実施形態にかかるロック手段を図示した構成図である。図８は，図７に図示されたロック手段の作用を示す断面図である。
【００３５】
図７に示したように，上下方向に配列された複数の係止部５４１を有する第１部材５４０がスキャンユニット２００に結合される。印刷ユニット１００には，第１部材５４０の上下方向の移動をガイドするガイドレール５７０と，第１部材５４０の係止部５４１に弾力的に掛かる第２部材５５０とが設けられる。図８に図示されたように，第２部材５５０は，弾性部材５６０によって係止部５４１に噛み合う方向に弾力的に支持されている。弾性部材５６０の付勢力は，スキャンユニット２００の重さによる回転モーメントに耐えられるほどにならなければならない。それにより，ユーザが任意にスキャンユニット２００を回動させない限り，第２部材５５０は，第１部材５４０の係止部５４１に挿入された状態を保持する。本実施形態のロック手段は，スキャンユニット２００が回動された場合，第１部材５４０が上下方向にだけ動くようにされたものである。
【００３６】
このために，第１部材５４０には，図７に図示されたように，横方向の長孔状よりなる結合部５４２が設けられる。スキャンユニット２００には，結合部５４２に挟まれるボス２０１が設けられる。ユーザがスキャンユニット２００を回動させれば，その力によって第２部材５５０が第１部材５４０のボトルネック５４３を通過しつつ図８の矢印（Ｂ）方向に押され，再び弾性部材５６０の付勢力によって係止部５４１に噛み合う。このような構成により，スキャンユニット２００は所定の回動位置でロックされる。
【００３７】
積載部４００の積載高さを高めるために，スキャンユニット２００は，上下方向に昇降するようにしてもよい。図９は，第３の実施形態にかかるプリンティング機器の昇降装置７００の斜視図である。図９に示したように，昇降装置７００は，ガイド溝７１０と，このガイド溝７１０に挿入される挿入部７２０とを含む。ガイド溝７１０は，印刷ユニット１００の第１端部１０１方向に位置し，上下方向に形成される。挿入部７２０は，スキャンユニット２００に設けられる。このような構成により，スキャンユニット２００が上下方向に昇降されるプリンティング機器の具現が可能である。積載部４００の側部には，支持部材６００が設けられる。支持部材６００は，図２及び図４に図示されたところと同一である。
【００３８】
図１０に示したように，スキャンユニット２００が印刷ユニット１００に装着されれば，スキャンユニット２００は支持部材６００によって支持される。積載部４００の積載高さを高めるために，図１１に図示されたように，スキャンユニット２００を上方に持ち上げる。それにより，弾性部材（図２の６１０）によって支持部材６００は第４位置で回動され，支持部材６００はスキャンユニット２００を支持する。
【００３９】
上述のような構成により，積載部４００をスキャンユニット２００と印刷ユニット１００との間に配置することにより，プリンティング機器の作動に必要な空間をプリンティング機器の設置面積以内になるようにできる。また，積載部４００の積載高さを最小限とすることにより，プリンティング機器全体の高さＨを低くでき，プリンティング機器を小型化できる。印刷された用紙，特にハガキ，写真などの小型用紙を積載部４００から取り出す時には，スキャンユニット２００を第２位置に移動させて取り出せる。また，印刷された用紙を排出する過程で用紙詰まりが発生した場合にも，スキャンユニット２００を第２位置に移動させた後で詰まった用紙を除去できる。
【００４０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４１】
本発明は，コンパクトな画像入力機能（スキャナ機能）と画像出力機能（印刷機能）とを備えたプリンティング機器の製造に適用可能である。
【図面の簡単な説明】
【００４２】
【図１】本発明の第１の実施形態にかかるプリンティング機器を示す構成図である。
【図２】同実施の形態にかかるプリンティング機器の正面図である。
【図３】同実施の形態にかかるスキャンユニットが回動された状態を図示した構成図である。
【図４】同実施の形態にかかるスキャンユニットが回動された状態を図示した正面図である。
【図５】同実施の形態にかかるロック手段を図示した構成図である。
【図６】同実施の形態にかかるロック手段の作用を示す断面図である。
【図７】本発明の第２の実施形態にかかるロック手段を図示した構成図である。
【図８】同実施の形態にかかるロック手段の作用を示す断面図である。
【図９】本発明の第３の実施形態にかかるプリンティング機器の分解斜視図及び結合斜視図である。
【図１０】同実施の形態にかかるプリンティング機器の分解斜視図及び結合斜視図である。
【図１１】同実施の形態にかかるスキャンユニットが第２位置に位置した状態を示す斜視図である。
【符号の説明】
【００４３】
１００      印刷ユニット
１０１      第１端部
１０２      第２端部
１１０      現像器
１１２      感光ドラム
１１３      帯電器
１１４      現像ローラ
１２０      露光器
１３０      転写器
１４０      定着器
２００      スキャンユニット
２１０      読取り手段
２２０      原稿台
２３０      カバー
３００      給紙手段
４００      積載部
５００      ヒンジ
【図１】
2005182032.tif 000003
【図２】
2005182032.tif 000004
【図３】
2005182032.tif 000005
【図４】
2005182032.tif 000006
【図５】
2005182032.tif 000007
【図６】
2005182032.tif 000008
【図７】
2005182032.tif 000009
【図８】
2005182032.tif 000010
【図９】
2005182032.tif 000011
【図１０】
2005182032.tif 000012
【図１１】
2005182032.tif 000013